(57)【要約】【課題】  仙骨の突出度合いを判定するに対応した模型を提供する。【解決手段】  第１仙骨突出状態にある臀部を模した第１臀部模型部３と、第２仙骨突出状態にある臀部を模した第２臀部模型部５とを少なくとも備える。これにより、少なくとも２種類の状態を模した臀部模型部を備えるので、仙骨の突出度合いを判定することが可能となる。【選択図】  図１
2016021017.tif 000002
【特許請求の範囲】
【請求項１】
仙骨の突出度合いを判定する仙骨突出判定模型であって、
第１仙骨突出状態にある臀部を模した第１臀部模型部と、
前記第１仙骨突出状態と異なる第２仙骨突出状態にある臀部を模した第２臀部模型部と
を備えることを特徴とする仙骨突出判定模型。
【請求項２】
前記第２臀部模型部は、前記第１臀部模型部より仙骨の突出度合いが大きい臀部を模した模型部であり、
少なくともには、前記第２臀部模型部には、仙骨の模した骨模型が埋設されていることを特徴とする請求項１に記載の仙骨突出判定模型。
【請求項３】
前記第２臀部模型部より仙骨の突出度合いが大きい臀部を模した第３臀部模型部と、
前記第１臀部模型部、前記第２臀部模型部及び前記第３臀部模型部が固定されたベース部と
を備えることを特徴とする請求項２に記載の仙骨突出判定模型。
【請求項４】
前記第１臀部模型部と前記第２臀部模型部との間、及び前記第２臀部模型部と前記第３臀部模型部との間には、隙間が設けられていることを特徴とする請求項３ないし３のいずれか１項に記載の仙骨突出判定模型。
【発明の詳細な説明】
【技術分野】
【０００１】
本発明は、仙骨の突出度合いを判定する仙骨突出判定模型に関する。
【背景技術】
【０００２】
例えば、特許文献１には、褥瘡治療実習に用いられる褥瘡ケア模型が記載されている。
【先行技術文献】
【特許文献】
【０００３】
【特許文献１】登録実用新案第３０５７２８４号公報
【発明の概要】
【発明が解決しようとする課題】
【０００４】
特許文献１に記載の発明は、褥瘡治療実習に用いられる褥瘡ケア模型であるので、当該模型では、仙骨の突出度合いを判定することができない。
本発明は、上記点に鑑み、仙骨の突出度合いを判定するに対応した模型を提供することを目的とする。
【課題を解決するための手段】
【０００５】
本発明は、上記目的を達成するために、仙骨の突出度合いを判定する仙骨突出判定模型であって、第１仙骨突出状態にある臀部を模した第１臀部模型部（３）と、第２仙骨突出状態にある臀部を模した第２臀部模型部（５）とを備えることを特徴とする。
【０００６】
これにより、本発明では、少なくとも２種類の状態を模した臀部模型部を備えるので、仙骨の突出度合いを判定することが可能となる。
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【０００７】
【図１】本発明の実施形態に係る仙骨突出判定模型１を示す斜視図である。
【図２】本発明の実施形態に係る仙骨突出判定模型１を使用方法示す図である。
【図３】本発明の第２実施形態に係る仙骨突出判定模型１を示す斜視図である。
【発明を実施するための形態】
【０００８】
以下に説明する「発明の実施形態」は実施形態の一例を示すものである。つまり、特許請求の範囲に記載された発明特定事項等は、下記の実施形態に示された具体的手段や構造等に限定されるものではない。
【０００９】
各図に付された方向を示す矢印等は、各図相互の関係を理解し易くするために記載したものである。本発明は、各図に付された方向に限定されるものではない。少なくとも符号を付して説明した部材又は部位は、「複数」や「２つ以上」等の断りをした場合を除き、少なくとも１つ設けられている。以下、本発明の実施形態を図面と共に説明する。
【００１０】
（第１実施形態）
本実施形態は、仙骨の突出度合いを判定するスケールの使用方法等を説明する際に用いる仙骨突出判定模型に本発明を適用したものである。図１は、本実施形態に係る仙骨突出判定模型１の斜視図である。
【００１１】
１．仙骨突出判定模型の概要
本実施形態に係る仙骨突出判定模型１は、図１に示すように、第１臀部模型部３、第２臀部模型部５、第３臀部模型部７及びベース部９等を有している。第１臀部模型部３は第１仙骨突出状態にある臀部を模したものである。
【００１２】
第２臀部模型部５は、第１仙骨突出状態（第１臀部模型部３）と異なる第２仙骨突出状態にある臀部を模したものであって、第１臀部模型部３より仙骨の突出度合いが大きい臀部を模したものである。
【００１３】
第３臀部模型部７は、第２仙骨突出状態（第２臀部模型部５）と異なる第３仙骨突出状態にある臀部を模したものであって、第２臀部模型部５より仙骨の突出度合いが大きい臀部を模したものである。
【００１４】
なお、本実施形態では、第１臀部模型部３（第１仙骨突出状態）は、仙骨の突出度合いが正常な状態、つまり仙骨が殆ど突出していない臀部の模型である。第３臀部模型部７（第３仙骨突出状態）は、仙骨の突出度合いが大きく、非正常と判定される臀部の模型である。そして、第２臀部模型部５は、第１仙骨突出状態と第３仙骨突出状態との中間を示す模型であって、正常と判定可能な臀部の閾値（ボーダライン）を示す模型である。
【００１５】
ベース部９は、第１臀部模型部３、第２臀部模型部５及び第３臀部模型部７が固定された板状部材である。このため、本実施形態では、３種類の臀部模型部３〜７を一体的に持ち運ぶことができる。なお、本実施形態では、各臀部模型部３〜７は、ベース部９に設けた凹部（図示せず。）に嵌め込まれた状態で接着固定されている。
【００１６】
第１臀部模型部３、第２臀部模型部５及び第３臀部模型部７は、シリコーン等の弾性を有する樹脂にて成形されたものである。そして、第２臀部模型部５及び第３臀部模型部７には、仙骨の模した骨模型１１が埋設されている。
【００１７】
なお、本実施形態では、第１臀部模型部３には骨模型１１が埋設されていない。これは、第１臀部模型部３は正常状態を示す模型であるので、骨模型１１を埋設する必要性が乏しいからである。しかし、第１臀部模型部３にも骨模型１１を埋設してもよいことは、当然である。
【００１８】
そして、第１臀部模型部３と第２臀部模型部５との間、及び第２臀部模型部５と第３臀部模型部７との間には、隙間δ１、δ２が設けられている。隙間δ１、δ２は、後述するスケールが第１〜第３臀部模型部３〜７のいずれかに当てられて当該臀部模型部が変形したとき、隣接する臀部模型部と干渉しない程度の寸法とすることが望ましい。
【００１９】
２．仙骨突出判定模型の概略使用方法例
図２は定規状のスケール１３を利用した使用例を示す。図２に示すように、臀裂Ａを跨ぐようにスケール１３を各臀部模型部３〜７に当てる。このとき、臀裂Ａ（仙骨が存在する部位）とスケール１３と隙間を判定基準として仙骨の突出度を判定する。
【００２０】
なお、第３臀部模型部７のように、スケール１３と臀裂Ａ（仙骨が存在する部位）とが接触し、スケール１３の両端と臀部との隙間が規定値以上となると、仙骨の突出度が大きく、何らかの手当が必要であると、判定可能である。
【００２１】
３．本実施形態に係る仙骨突出判定模型の特徴
本実施形態に係る仙骨突出判定模型１では、異なる仙骨突出状態にある臀部を模した臀
部模型部３〜７を備えるので、仙骨の突出度合いを判定することが可能となる。
【００２２】
第１臀部模型部３、第２臀部模型部５及び第３臀部模型部７は、一枚のベース部９に一体化されているので、３種類の臀部模型部３〜７を一体的に持ち運ぶことができる。
（第２実施形態）
本実施形態は、図３に示すように、仙骨突出判定模型１をケーシング１７に収納して可搬性を向上させたものである。
【００２３】
ケーシング１７は、ケーシング本体１７Ａ及び蓋体１７Ｂ等を有している。ケーシング本体１７Ａは、第１臀部模型部３、第２臀部模型部５及び第３臀部模型部７が収納する箱状の部位である。
【００２４】
蓋体１７Ｂは、ケーシング本体１７Ａの上方側を開放する位置と閉塞する位置との間で変位可能な部位である。本実施形態に係る蓋体１７Ｂは、ヒンジ（図示せず。）を介してケーシング本体１７Ａに対して揺動可能に連結されている。
【００２５】
なお、蓋体１７Ｂにはロック部１７Ｃ及び把持部１７Ｄが設けられている。ロック部１７Ｃは、ケーシング本体１７Ａの上方側を閉塞した状態で、その閉塞状態を維持するための部位である。把持部１７Ｄはケーシング１７を把持するための取手部である。
【００２６】
そして、ケーシング１７には、スケール１３を収納可能な収納部（図示せず。）が設けられている。ケーシング本体１７Ａの深さ寸法Ｄ１は、第３臀部模型部７の高さ寸法Ｈ３より小さい寸法（例えば、Ｄ１の１／２以下）に設定されている。
【００２７】
（第３実施形態）
本実施形態は、第２実施例の変形例である。具体的には、第１臀部模型部３、第２臀部模型部５及び第３臀部模型部７がケーシング本体１７Ａに一体化されたものである。つまり、ベース部９がケーシング本体１７Ａの底板を兼ねた構成としたものである。
【００２８】
（その他の実施形態）
本発明は、特許請求の範囲に記載された発明の趣旨に合致するものであればよく、上述の実施形態に限定されるものではない。すなわち、各臀部模型部３〜７は、図１等に示された形状に限定されるものではない。
【００２９】
上述の実施形態に係る各臀部模型部３〜７は、シリコーン等の弾性を有する材質にて成形されたものであったが、本発明はこれに限定されるものではない。
【符号の説明】
【００３０】
１… 仙骨突出判定模型
３… 第１臀部模型部
５… 第２臀部模型部
７… 第３臀部模型部
９… ベース部
１１… 骨模型
１３… スケール
１７… ケーシング
１７Ａ… ケーシング本体
１７Ｂ… 蓋体
１７Ｃ… ロック部
１７Ｄ… 把持部
【図１】
2016021017.tif 000003
【図２】
2016021017.tif 000004
【図３】
2016021017.tif 000005